(57)【要約】      （修正有）【課題】一つの機器でありながら無駄削り防止機構と、芯先調節機構と、折れ芯除去機構の全ての機能を有する電動鉛筆削り器。【解決手段】無駄削り防止機構７０が、切削刃５２（カッター刃）と、カッターシャフト５４と、プレート６５とからなり、切削が完了した時点で切削刃を鉛筆から離す構造であり、芯先調節機構６０が、芯先調節ダイヤル６１と、回動する芯先調節ネジ６２と、ギアーシャフト６３と、連結杆６４と、プレート６５と、ストッパ６６と、からなるとともに、また、折れ芯除去機構８０が、ボタン８１と、ギアーシャフトと、連結杆と、プレートと、ストッパとからなる構造である。【選択図】図２
2007290317.tif 000002
【特許請求の範囲】
【請求項１】
本体カバーと、電力による駆動機構と、回転作動の伝達機構と、鉛筆を回転切削する回転切削刃の設けられた切削機構と、鉛筆から回転切削刃を解除する無駄削り防止機構と、削られる鉛筆の芯先の径を調節する芯先調節機構と、折れて装置内に取り残された芯を装置から取出す折れ芯除去機構と、からなる電動鉛筆削り器において、
無駄削り防止機構が、鉛筆に斜めに接触して遊星回転しながら嵌入された鉛筆を先端から切削する摺動自在な切削刃（カッター刃）と、その中心軸であるカッターシャフトと、シャフトの先端が当接するプレートとからなる構造であり、芯先調節機構が、本体カバーの外表面に設けられた芯の長さを選択する芯先調節ダイヤルと、該ダイアルの回転により回動する芯先調節ネジと、芯先調節ネジに螺合して軸方向に移動するギアーシャフトと、該ギアーシャフトの先端に連接された連結杆と、該連結杆の先端に設けられた遊動するプレートと、該プレートに基部が係合し先端に鉛筆の芯先に当接する当接片が設けられたストッパと、からなるとともに、折れ芯除去機構が、本体カバーの外表面に設けられた折れ芯取り出し用のボタンと、該ボタンの押圧により全体がスライド移動する構成の芯先調節ネジに嵌入されている前記ギアーシャフトと、該ギアーシャフトの先端に連接された前記連結杆と、該連結杆の先端に設けられた遊動する前記プレートと、該プレートに基部が係合し先端に鉛筆の芯先に当接する当接片が設けられた前記ストッパとからなることを特徴とする電動鉛筆削り器
【請求項２】
本体カバーと、電力による駆動機構と、回転作動の伝達機構と、鉛筆を回転切削する回転切削刃の設けられた切削機構と、鉛筆から回転切削刃を解除する無駄削り防止機構と、削られる鉛筆の芯先の径を調節する芯先調節機構と、折れて装置内に取り残された芯を装置から取出す折れ芯除去機構と、からなる電動鉛筆削り器において、
芯先調節機構と、折れ芯除去機構とが一体となった構成で、回動しかつ押圧することができる構造の芯先調節つまみと、芯先調節つまみの先端部で押圧される係合部材と、押圧された係合部材がさらに押圧するシャフトと、一箇所で固定されテコのように動作するプレートと、前記シャフトに押されたプレートの下端に押されて左右に移動するストッパと、からなることを特徴とする電動鉛筆削り器
【請求項３】
前記無駄削り防止機構は、芯先調節ダイヤルを回転させることにより（芯先調節内ギアと一体に形成した）芯先調節ギアを回転させてもギアシャフト自体を移動させて連結杆を動かすので、ギアシャフトを移動させることにより連結杆が動き、連結杆の先端に設けられているプレートの揺動端を押圧することになり切削刃（カッター刃）のシャフトが連動して移動して切削刃（カッター刃）が上方向に移動することになり、切削刃（カッター刃）が切削していた鉛筆の切削面から離れ無駄削りを防止できる構成であることを特徴とする請求項１または２記載の電動鉛筆削り器
【請求項４】
前記芯先調節機構は、芯先調節ネジの中心に螺旋条を削設した貫通孔を設け、ギアーシャフトを中空の貫通孔に軸方向に移動可能に嵌合した構成であることを特徴とする請求項１または２記載の電動鉛筆削り器
【請求項５】
前記折れ芯除去機構は、折れ芯取り出し用のボタンを押圧すると、電源がＯＮとなってモータに通電されカッターホルダが回転して切削刃（カッター刃）が鉛筆挿入口側へ残留物を押し出すように回転するので残留物を鉛筆挿入口の方向にはじき飛ばして取り出すことを特徴とする請求項１または２記載の電動鉛筆削り器
【請求項６】
本体カバーと、電力による駆動機構と、回転作動の伝達機構と、鉛筆を回転切削する回転切削刃の設けられた切削機構と、鉛筆から回転切削刃を解除する無駄削り防止機構と、削られる鉛筆の芯先の径を調節する芯先調節機構と、折れて装置内に取り残された芯を装置から取出す折れ芯除去機構と、からなる電動鉛筆削り器において、
鉛筆を挿入し感知させるスイッチボックスが、鉛筆が挿入されることにより水平横方向に押圧され略L字型であり孔が穿孔される穿孔部及びスイッチレバー凸部が形成されている鉛筆挿入部スイッチレバーと、前記スイッチレバー凸部に押圧され、スイッチの端子を押圧し凸部が形成されるスイッチプレートと、前記スイッチプレートにより端子が押圧され、ON状態となり電力を供給するスイッチと、前記鉛筆挿入部スイッチレバーの前記スイッチプレート凸部を下部から押圧するクズ受け検出部と、前記鉛筆挿入部スイッチレバーの前記穿孔部に一端が挿入され他端においてスイッチシャフトに押圧されて上下動自在にテーパー状に切り取られているスイッチレバーテーパを備えるスイッチレバーと、からなることを特徴とする電動鉛筆削り器
【請求項７】
前記鉛筆挿入部スイッチレバーに形成される前記穿孔部の形状が略三角形状であることを特徴とする請求項６記載の電動鉛筆削り器
【請求項８】
本体カバーと、電力による駆動機構と、回転作動の伝達機構と、鉛筆を回転切削する回転切削刃の設けられた切削機構と、からなる電動鉛筆削り器において、
どの太さの鉛筆を挿入しても鉛筆を真芯で削れるように鉛筆径調整機構が、鉛筆を３方向から押圧し突起が形成されるスライドプレートと、該スライドプレートに形成される突起が嵌入するように同一円弧の中心をずらして形成した係合孔が形成され上端で調整レバーのギアと係合する円弧ギアが形成される調整板と、前記円弧ギアに係合するギアが形成される調整レバーと、からなることを特徴とする電動鉛筆削り器
【請求項９】
前記前記スライドプレートの鉛筆を押圧する押圧部の形状が、平板を鉛筆の径に合わせることが出来るように湾曲させた形状であることを特徴とする請求項８記載の電動鉛筆削り器
【発明の詳細な説明】
【技術分野】
【０００１】
本発明は、鉛筆を電動で切削する鉛筆削り器に関し、特に機能を充実させて、芯先調節機能と折れ芯除去機能と無駄削り防止機能全ての機能を装備した電動鉛筆削り器に関する。また、鉛筆径調整機構を装備した電動鉛筆削り器に関する。
【背景技術】
【０００２】
家庭用および事務用の電動鉛筆削り器は広く使用されており、従来の手動鉛筆削りを超える需要がある。特に機能の充実した、電動鉛筆削り器が主流であって、移動可能な充電式または電池式の機器もあるが、様々な要求を満足させた多機能の交流式の電動鉛筆削り器の開発が進んでいる。
付加される機能としては、切削が完了した時点で切削動作が停止する無駄削り防止機能がある。この機能は、切削が完了した時点で駆動力を停止させる方法と、切削が完了した時点で切削刃を鉛筆から離す方法がある。
【０００３】
上記の他に付加される機能としては、外部に設けられたダイヤル等により、鉛筆の芯先に前後移動可能に当接する当接片により鉛筆の芯の径を調節する芯先調節機能や、回転切削工程で芯先が折れた場合の折れて取り残された芯をワンタッチで取り出す折れ芯除去機構が必要な機能として上げられる。
【０００４】
手動の鉛筆削りであっても芯が途中で折れた場合に取り出し方法が一定でないために苦労することが多かったが、特に、電動の場合は、機器自体を持ち上げたりひっくり返すことは機器に悪影響を与え兼ねないので、芯が折れて機器の内部の奥深くに取り残された状態になることは致命的であり操作不可能となる虞れあった。芯が折れて内部に残ることは鉛筆削り器の性能が上がっても、起こりうる事態であり、電動鉛筆削り器の性能の向上で解決できる問題ではなく、鉛筆の芯の硬度や、鉛筆の製造工程の問題や、使用途中の鉛筆にあっては落下等の衝撃を受けた経緯によっても必然的に発生する事態である。
【０００５】
また、切削が完了した時点で駆動力を停止させる方法による無駄削り防止機構と、芯先調整と折れ芯除去機構を備えた電動鉛筆削りは存在していたが、切削が完了した時点で駆動力を急に停止させる為に鉛筆の切削面が荒れてしまう不具合があった。
芯の調整機能の装備された鉛筆削りとしては、特開２００３−１５４７９１号が存在する。また、芯先調節機能と切削刃を離す方法の無駄削り防止機能の両方を装備した機器としては特開平６−２１０９９５号が存在する。さらに、出願人は芯を排出する排出手段を備えた電動鉛筆削り器を出願し特許となっている。（特許第３５０５１４４号）
しかしながら、切削刃が離れて鉛筆の切削動作を停止する無駄削り防止機構と、芯先調節機能と、芯を排出する折れ芯除去機構を全て備えた電動鉛筆削り器は、すべての機構を内包させなければならないため装置が複雑となってしまう傾向があり存在していなかった。
各種の機能を装備させることは機器の重量を増加し総体の大きさを大きくするとともにコストを上げる原因ともなるので、元の大きさ重量でありながら顧客を満足させる各種の機能を全て装備した安価で簡単な構造な機器の開発が待たれていた。
【特許文献１】特開２００３−１５４７９１号
【特許文献２】特開平６−２１０９９５号
【特許文献３】特許第３５０５１４４号
【発明の開示】
【発明が解決しようとする課題】
【０００６】
本発明は上記問題を解決するために、従来はそれぞれの機能が単独の構造として組み込まれていた無駄削り防止機構と芯先調節機構と折れ芯除去機構を、全ての機能が連動する一つの構造とする電動鉛筆削り器を提供することを目的としている。また、鉛筆径調整機構を有する電動鉛筆削り器を提供することも目的としている。
【課題を解決するための手段】
【０００７】
上記目的を達成するために本発明に係る電動鉛筆削り器は、本体カバーと、電力による駆動機構と、回転作動の伝達機構と、鉛筆を回転切削する回転切削刃の設けられた切削機構と、鉛筆から回転切削刃を解除する無駄削り防止機構と、削られる鉛筆の芯先の径を調節する芯先調節機構と、折れて装置内に取り残された芯を装置から取出す折れ芯除去機構と、からなる電動鉛筆削り器において、無駄削り防止機構が、鉛筆に斜めに接触して遊星回転しながら嵌入された鉛筆を先端から切削する摺動自在な切削刃（カッター刃）と、その中心軸であるカッターシャフトと、シャフトの先端が当接するプレートとからなる構造であり、芯先調節機構が、本体カバーの外表面に設けられた芯の長さを選択する芯先調節ダイヤルと、該ダイアルの回転により回動する芯先調節ネジと、芯先調節ネジに螺合して軸方向に移動するギアーシャフトと、該ギアーシャフトの先端に連接された連結杆と、該連結杆の先端に設けられた遊動するプレートと、該プレートに基部が係合し先端に鉛筆の芯先に当接する当接片が設けられたストッパと、からなるとともに、折れ芯除去機構が、本体カバーの外表面に設けられた折れ芯取り出し用のボタンと、該ボタンの押圧により全体がスライド移動する構成の芯先調節ネジに嵌入されている前記ギアーシャフトと、該ギアーシャフトの先端に連接された前記連結杆と、該連結杆の先端に設けられた遊動する前記プレートと、該プレートに基部が係合し先端に鉛筆の芯先に当接する当接片が設けられた前記ストッパとからなる構成である。
【０００８】
本体カバーと、電力による駆動機構と、回転作動の伝達機構と、鉛筆を回転切削する回転切削刃の設けられた切削機構と、鉛筆から回転切削刃を解除する無駄削り防止機構と、削られる鉛筆の芯先の径を調節する芯先調節機構と、折れて装置内に取り残された芯を装置から取出す折れ芯除去機構と、からなる電動鉛筆削り器にであって、芯先調節機構と、折れ芯除去機構とが一体となった構成で、回動しかつ押圧することができる構造の芯先調節つまみと、芯先調節つまみの先端部で押圧される係合部材と、押圧された係合部材がさらに押圧するシャフトと、一箇所で固定されテコのように動作するプレートと、前記シャフトに押されたプレートの下端に押されて左右に移動するストッパと、からなる構造である。
【０００９】
前記無駄削り防止機構は、芯先調節ダイヤルを回転させることにより（芯先調節内ギアと一体に形成した）芯先調節ギアを回転させてもギアシャフト自体を移動させて連結杆を動かすので、ギアシャフトを移動させることにより連結杆が動き、連結杆の先端に設けられているプレートの揺動端を押圧することになり切削刃（カッター刃）のシャフトが連動して移動して切削刃（カッター刃）が上方向に移動することになり、切削刃（カッター刃）が切削していた鉛筆の切削面から離れ無駄削りを防止できる構成である。
また、前記芯先調節機構は、芯先調節ネジの中心に螺旋条を削設した貫通孔を設け、ギアーシャフトを中空の貫通孔に軸方向に移動可能に嵌合した構成である。
さらに、前記折れ芯除去機構は、折れ芯取り出し用のボタンを押圧すると、電源がＯＮとなってモータに通電されカッターホルダが回転して切削刃（カッター刃）が鉛筆挿入口側へ残留物を押し出すように回転するので残留物を鉛筆挿入口の方向にはじき飛ばして取り出す構造である。
【００１０】
本体カバーと、電力による駆動機構と、回転作動の伝達機構と、鉛筆を回転切削する回転切削刃の設けられた切削機構と、鉛筆から回転切削刃を解除する無駄削り防止機構と、削られる鉛筆の芯先の径を調節する芯先調節機構と、折れて装置内に取り残された芯を装置から取出す折れ芯除去機構と、からなる電動鉛筆削り器にであって、鉛筆を挿入し感知させるスイッチボックスが、鉛筆が挿入されることにより水平横方向に押圧され略L字型であり孔が穿孔される穿孔部及びスイッチレバー凸部が形成されている鉛筆挿入部スイッチレバーと、前記スイッチレバー凸部に押圧され、スイッチの端子を押圧し凸部が形成されるスイッチプレートと、前記スイッチプレートにより端子が押圧され、ＯＮ状態となり電力を供給するスイッチと、前記鉛筆挿入部スイッチレバーの前記スイッチプレート凸部を下部から押圧するクズ受け検出部と、前記鉛筆挿入部スイッチレバーの前記穿孔部に一端が挿入され他端においてスイッチシャフトに押圧されて上下動自在にテーパー状に切り取られているスイッチレバーテーパを備えるスイッチレバーと、からなる構造である。また、前記鉛筆挿入部スイッチレバーに形成される前記穿孔部の形状は、略三角形状の構成である。
【００１１】
本体カバーと、電力による駆動機構と、回転作動の伝達機構と、鉛筆を回転切削する回転切削刃の設けられた切削機構と、からなる電動鉛筆削り器にあって、どの太さの鉛筆を挿入しても鉛筆を真芯で削れるように鉛筆径調整機構が、鉛筆を３方向から押圧し突起が形成されるスライドプレートと、該スライドプレートに形成される突起が嵌入するように同一円弧の中心をずらして形成した係合孔が形成され上端で調整レバーのギアと係合する円弧ギアが形成される調整板と、前記円弧ギアに係合するギアが形成される調整レバーと、からなる構造である。
前記スライドプレートの鉛筆を押圧する押圧部の形状が、平板を鉛筆の径に合わせることが出来るように湾曲させた形状でもある。
【発明の効果】
【００１２】
本発明に係る電動鉛筆削り器は、上記詳述した通りの構成であるので、以下のような効果がある。
１  芯先調節機構の中に折れ芯除去機構が設けられているために、内部構造としては多少複雑な構成となっているが、全体の大きさも使い勝手も従来の装置と遜色が無く、コストも低廉に抑えられている。更に、従来の無駄削り防止機構が、そのまま組み込まれているので、所定の芯先の径に達すると電源がＯＦＦとなり、鉛筆に切削刃が食い込んだ状態で鉛筆を取り出し難いということが無いという点で、従来の機器の利点を充分に兼備している。
２  芯先調節機構と芯除去機構とが共通する１つのネジ部材に形成したため、装置全体がシンプルになり、内部構造を簡略化することによりコンパクトにすることが可能となった。
【００１３】
３  無駄削り防止機構を標準装備しているので多機能でありながら従来の機器の利点を失うことがない。
４  芯先調節機構の芯先調節ネジの中心に貫通孔を設けて、ギアーシャフトを軸方向に移動自在に嵌合した構成であるので、鉛筆の芯先の径を微調整することが可能である。
５  折れ芯除去機構は、前記芯先調節機構の芯先調節ネジとギアーシャフトがボタンの押圧で全体が移動する構成であるので、機器の構成を多少複雑化しているが、全体としては機器の総体に変化をきたす事の無い、コンパクトでコストと機能が充実した割には安価な製品を提供することができるメリットがある。また、短くなった鉛筆や、折れた芯等の残留物を除去することが可能である。
【００１４】
６  鉛筆を挿入し感知させるスイッチボックスの構造を簡略化し、動作させることができるため、小型化にすることができる。
７  穿孔部の形状を略三角形状にすることにより、接触面に遊びを設けて、確実に動作させることが可能である。
８  スライドプレートと調整板と調整レバーにより、鉛筆を真心で削ることができる。
９  さらに、スライドプレートの鉛筆と接触する面を湾曲にした平板とすることにより、確実に鉛筆を保持することが可能となる。
【発明を実施するための最良の形態】
【００１５】
以下本発明にかかる電動鉛筆削り器を図面に示す実施例に基づいて詳細に説明する。図１（ａ）は電動鉛筆削り器の全体を示す斜視図であり、（ｂ）は電動鉛筆削り器の全体を示す平面図である。図２は電動鉛筆削り器を側面から分解した断面図であり、図３は芯先調節機構により太く調節した場合の分解断面図である。図４（ａ）〜（ｅ）は各部品の分解斜視図である。
図５は本発明の別の実施例の電動鉛筆削り器を示す断面図であり、図６は電動鉛筆削り器のスイッチボックスを示す構造図である。図７はスイッチボックスのスイッチレバーテーパを示す側面図であり、図８ａは鉛筆径調整機構を示す構造図であり、図８ｂは鉛筆径調整機構を示す分解図である。
本発明の電動鉛筆削り器１０は、本体カバー２０と、駆動機構３０と、伝達機構４０と、切削機構５０と、芯先調節機構６０と、無駄削り防止機構７０と、折れ芯除去機構８０と、からなる。
【実施例１】
【００１６】
本体カバー２０は、総体が直方体の箱体であって、外表面の一部に芯先調節ダイヤル６１と折れ芯除去機構のボタン８１が突設されており、折れ芯除去機構のボタンの設置箇所と対向する位置に鉛筆挿入口が設けられている。
本体カバーの中には、前記駆動機構と、伝達機構と、切削機構と、芯先調節機構と、無駄削り防止機構と、折れ芯除去機構とが収納されている。
【００１７】
駆動機構３０は、駆動部３２と電力供給源３４とからなる。駆動部３２は、この実施例ではモータを使用している。モータにはギアが装着されており、このギアを介して動力は伝達機構４０に伝達される。電力供給源３４は、この実施例では交流電源を使用しているが、直流電源の使用も可能である。
また、駆動装置のスイッチは鉛筆挿入口の内周壁に突設されており、鉛筆を挿入口に入れると突起が押されて通電し動作する構成である。
【００１８】
伝達機構４０は、複数のギアからなる構成であり、駆動機構３０からの動力を切削機構５０に伝達する機構である。構成の詳細は本件発明のポイントでないので詳述は避けるが、ギアによりモータの回転を切削機構５０に伝えて切削刃を回転させて鉛筆を回転切削する。
【００１９】
切削機構５０は、円筒体の外周に切削刃５２を螺旋形に設けた円筒形カッタであり、筒内にカッターシャフト５４が嵌入装備されており、削られる鉛筆１２に対して切削角度を保ちながら傾斜接合し、自転して鉛筆の先端を回転切削しながらの鉛筆の周囲を遊星回転（公転）する。
カッターシャフト５４は鉛筆１２に対して傾斜して装備されている。
【００２０】
図２と図３を用いて、実施例の電動鉛筆削り器を詳細に説明する。この実施例の電動鉛筆削り器は、芯先調節機構６０と、無駄削り防止機構７０と、折れ芯除去機構８０の各機能を装備した構成からなる。
【００２１】
芯先調節機構６０は、本体カバーの外表面に設けられた芯の長さ及び太さを選択する芯先調節ダイヤル６１と、該ダイアルの回転により回動する芯先調節ネジ６２に係合して左右に移動するギアーシャフト６３と、該ギアーシャフト６３の先端に連接された連結杆６４と、該連結杆の先端に設けられた遊動するプレート６５と、該プレートに基部が係合し先端に鉛筆の芯先に当接する当接片６７が設けられた芯止め用のストッパ６６と、からなる。
この実施例では、回転式の芯先調節ダイヤル６１を回動して適宜の芯の長さに設定すると、ダイヤルを回転した範囲でダイヤルに係合（噛合）している芯先調節ネジ６２が回転し、芯先調節ネジの回転により螺合しているギアーシャフト６３は軸方向に前後に移動する。これにより、ギアーシャフトの先端に連結されている連結杆６４も応動して前後に移動する。また、芯先調節ダイヤル６１はスライド式とすることもできる。
【００２２】
芯先調節ネジ６２と螺合しているギアーシャフト６３は、芯先調節ネジ６２の軸中心に内壁に螺旋条の削設された貫通孔を切設し、ギアーシャフト６３を軸中心の貫通孔に回動自在に螺合した構成であり、芯先調節ネジ６２の回転によりギアシャフト６３はギア（ギアシャフト）の軸方向に前後に移動する構成である。
【００２３】
無駄削り防止機構７０は、鉛筆に斜めに接触して遊星回転しながら鉛筆を先端から切削する切削刃（カッター刃）５２と、その中心軸であるカッターシャフト５４と、シャフトの先端が当接するプレート６５と、ストッパ６６と、当接片６７とからなり、鉛筆が指定された芯の長さに削られてその先端が当接片６７に到達するとストッパ６６が押圧され、ストッパが端部に係合されているプレートの下端を押圧移動する。プレート６５は連結杆６４を支点に揺動可能に設置されているので、下端に力が加わって移動すると上端は下端とは反対方向に移動することになる。これにより、傾斜して当接していたカッターシャフト５４の先端が押圧されて押戻され、図の右方向に移動して切削刃と鉛筆の切削面との接触が離れる。これにより、切削は中断され無駄削り状態は回避される。
【００２４】
無駄削り防止機構をさらに説明すると、芯先調節ダイヤル６１を回転させて、例えば“細い”を選択した場合、図２で示す通り、芯先調節用の芯先調節ネジ６２が回転し、軸中心に螺合しているギアーシャフト６３が左方向に移動するので連結杆６４が動き、当接片６７の“細い”で設定される芯先の径の位置が決まる。鉛筆が挿入口から嵌入されると電源がＯＮとなり切削が開始される。鉛筆が“細い”の位置まで削られて先端が当接片６７に到達して当接片を押圧するとストッパ６６が押圧され、連結杆の先端に設けられているプレート６５の揺動端を押圧するとともに他端がカッターシャフト５４の先端を押圧し、シャフトが連動して移動して切削刃（カッター刃）５２が右上方向に移動して、切削刃（カッター刃）が切削していた鉛筆の切削面から離れる。
同様に、“太い”を選択した場合の操作位置を図３で開示している。この場合、芯先調節用の芯先調節ネジ６２を“太い”に回転させると、軸中心に螺合しているギアーシャフト６３が右方向に移動し連結杆６４がプレート６５を斜めにするので
当接片６７は押し出されて“太い”の位置に設定される。作動は“細い”の場合と同じである。また、本発明で採用している無駄削り防止機構は、特開平６−２１０９９５号で開示されている無駄削り防止機構と近似した構造である。
【００２５】
折れ芯除去機構８０は、本体カバーの外表面に設けられた折れ芯取り出し用のボタン８１と、ボタンの押圧により全体がスライド移動する構成のギアーシャフト６３と、ギアーシャフトの先端に連接されている連結杆６４と、連結杆の先端に設けられた遊動するプレート６５と、プレートに基部が係合し先端に鉛筆の芯先に当接する当接片６７が設けられた芯止め用のストッパ６６とからなる。ボタン８１を押圧すると芯先調節ネジ６２と芯先調節ネジ６２に嵌入しているギアーシャフト６３の全体が図２の右方向に移動する。これにより、連結している連結杆６４の先端のプレート６５が右方向に移動する。同時に、プレート６５に基部が連設されているストッパ６６が右方向に移動し、当接片６７を押圧する。これにより、切削された際に折れて機器の中に残存してしまった先端の芯を図の右方向に押圧して排除することが出来る。
この実施例では、上述するように芯先調節機構６０と、折れ芯除去機構８０を構成する多くの部材を同じ部材で実現しているため、装置を小型化することが可能となる。
【００２６】
また、本発明にかかる電動鉛筆削り器の折れ芯除去機構は、折れ芯取り出し用のボタン８１を押圧すると、電源がＯＮとなってモータに通電されカッターホルダ５１が回転して切削刃（カッター刃）が鉛筆挿入口側へ折れて残った芯を押し出すように回転するので取れにくい機器の奥深い箇所で取り残された折れ芯を鉛筆挿入口の方向へはじき飛ばす。また、短い鉛筆等がカッターホルダ内に残った場合も、鉛筆挿入口から取り出すことが可能となった。
【実施例２】
【００２７】
本発明の別の実施例として、芯先調節機構６０と、折れ芯除去機構８０の各機能を一つの操作部により同時に実現した構造が開示されている。作動原理は実施例１と変わらないが、構造は以下に詳述するように異なっている。図５に示すように実施例２では、実施例１で別の部材となっていたダイヤル６１とボタン８１を芯先調節つまみ９０として一体に構成している。図５の実施例は図２の実施例とは逆向きとなっているが、芯先調節つまみ９０を回転させることにより、ネジ山の設けられている芯先調節つまみ９０は回動しながら先端９２が係合部材１００を押圧し、さらに係合部材１００がシャフト１１０を押すことによりシャフトの先端が、プレート１２０の中央部付近を押圧する。これにより、一端をカッターシャフトに固定されたプレート１２０の下端がストッパ１３０を押して鉛筆の当接位置が移動するので芯の太さを調節することができる。また、芯先調節つまみ９０を押圧することにより、螺合部材９４と一緒に先端９２を大きく動かすことにより、連動するストッパ１３０を大きく動かすことが出来る。したがって、芯が詰まった際に、芯先調節つまみ９０を押圧して芯を取り除くことができる。また、螺合部材９４は弾性体９６と係合しているため、芯先調節つまみ９０を押圧しても元の位置に戻ることが出来る。さらに、ネジ山により芯調節位置は固定されているため、芯先調節つまみを押圧しても芯の太さを変える調節機構に影響が出ることはない。
【００２８】
この構造とすることにより、芯先調節機構と折れ芯除去機構を同一の部材で実現することができ、装置の外形をシンプルにかつ機器自体を小型化させることが可能となる。
【実施例３】
【００２９】
さらに、別の実施例では、電動鉛筆削り器に鉛筆を挿入させた際に感知させるスイッチボックスを図に示すような構造にすることにより、様々な機能を持たせることが出来る。
スイッチボックス１５０は、鉛筆挿入部スイッチレバー１６０と、スイッチプレート１７０と、スイッチ１８０と、クズ受け検出部１９０と、スイッチレバー２００とからなる構造である。
鉛筆挿入部スイッチレバー１６０は、鉛筆が挿入される孔に飛び出した突部で鉛筆が進入すると水平方向に孔より押し出される構成で、これにより挿入部スイッチ１６２を作動させる構造であり、略L字型で孔が穿孔される穿孔部１６４とスイッチレバー凸部１６６とで形成されている。
【００３０】
スイッチプレート１７０は、スイッチレバー凸部１６６によりスイッチプレート凸部１７２が押圧され、スイッチ１８０の端子１８２を押圧する構成である。
スイッチ１８０は、電流源と接続する部材であり、電流のON−OFFさせる操作をする。スイッチ１８０には、端子１８２が形成されており、スイッチプレート１７０のスイッチレバー凸部１６６を押上（降下）することによりスイッチプレート凸部１７２が押圧接合されて電源がON−OFFされる。
【００３１】
クズ受け検出部１９０は、鉛筆挿入部スイッチレバー１６０のスイッチレバー凸部１６６を下から押圧する。つまり、クズ受けがセットされている場合は、上に押圧できるため、スイッチレバー凸部１６６が水平に横にスライドすることができるのでスイッチプレート凸部１７２を確実に押圧することができる。しかし、クズ受けがセットされていない状態では、クズ受け検出部１９０が下部に下がった状態であるため、鉛筆挿入部スイッチレバー１６０のスイッチレバー凸部１６６はフリーとなるので、水平に移動しようとしてもスイッチプレート凸部１７２をスイッチレバー凸部１６６が押圧することができないので、スイッチをONにすることができない構造である。これにより、クズ受けがない場合は鉛筆を挿入しても動作することはなく、万一この状態で指等をクズ受け部に入れても刃が回転することはなく安全性を保つことができる。
【００３２】
スイッチレバー２００は、その一端２０２が鉛筆挿入部スイッチレバー１６０の穿孔部１６４に挿入された状態に構成される。また、その他端２０４にはスイッチシャフト２１０が嵌合することにより押圧されて上下動自在するようにテーパー状に構成されたスイッチレバーテーパ２０６が設けられている。スイッチレバー２００を折れ芯取り出しボタン（図示しない）で押圧すると、スイッチシャフト２１０がスイッチレバー２００の上部のスイッチレバーテーパ２０６部に強制的に挿入することになる。これにより、スイッチレバー全体が上部に持ち上がる構造である。連動して穿孔部１６４に係合している一端２０２も上部に持ち上がることになり、これにより、鉛筆を挿入しなくても強制的に鉛筆挿入部スイッチレバー１６０を横にスライドさせることができ、スイッチレバー凸部１６６がスイッチプレート凸部１７２を押圧して電源を供給することが可能となる。鉛筆を挿入していない状態で電源を入れることにより、芯が詰まった状態で動作させて芯をクズ受けに落とすことが可能となる。
なお、穿孔部１６４は、この実施例では三角形状で穿孔されているが、別の形状とすることもできる。しかし、スイッチレバー２００を上部に移動させてスイッチを強制的に入れる為には、三角形状で穿孔されているのが望ましい。
さらに、鉛筆挿入部スイッチレバー１６０の上部の１箇所、若しくは、鉛筆挿入部スイッチレバー１６０の上部とスイッチレバー２００の下端の２箇所に弾性体を係合させて固定することにより、鉛筆を挿入して動作させて鉛筆を取り除いた後でも、部材を確実に図面で示す待機状態に戻すことが可能となる。
【実施例４】
【００３３】
また別の実施例では、鉛筆を真心で削れるようにするために、鉛筆径調整機構２２０が形成されている。
鉛筆径調整機構２２０は、スライドプレート２３０と、調整板２４０と、鉛筆径調整ダイヤル２５０とからなる。
スライドプレート２３０は、鉛筆を３方向から押圧する機構である。それぞれのスライドプレート２３０には、調整板２４０の係合孔２４２に嵌入する突起２３２が形成されている。この実施例では鉛筆を直接押圧する押圧部の形状を鉛筆の径と同じように湾曲させた平板とすることにより、確実に鉛筆を保持することが可能となる。
【００３４】
調整板２４０には、スライドプレート２３０の突起２３２が嵌入する係合孔２４２が穿孔されている。また、調整板２４０の上端には鉛筆径調整ダイヤル２５０のギアと係合する円弧ギア２４４が形成されている。また、係合孔２４２は、同一円弧の中心をずらして形成されており、鉛筆径調整ダイヤル２５０を動かすことにより調整レバーのギア２５２と調整板の円弧ギア２４４が移動してスライドプレート２３０が広がったり狭まったりする構造となっている。
鉛筆径調整ダイヤル２５０には、円弧ギア２４４に係合するギア２５２が形成されており、左右に動かすことによりスライドプレート２３０を動かすことが出来る構成となっている。
【００３５】
本発明の構造とすることにより、鉛筆を真心で削ることが可能となり、鉛筆の仕上がりを綺麗にすることが可能となり、片削りの心配がなくなる。
【図面の簡単な説明】
【００３６】
【図１】（ａ）電動鉛筆削り器の本体カバー全体を示す斜視図、（ｂ）電動鉛筆削り器の全体を示す平面図
【図２】電動鉛筆削り器を側面から分解した断面図
【図３】芯先調節機構により太く調節した場合の分解断面図
【図４ａ】各部品の分解斜視図
【図４ｂ】各部品の分解斜視図
【図４ｃ】各部品の分解斜視図
【図４ｄ】各部品の分解斜視図
【図４ｅ】各部品の分解斜視図
【図５】別の実施例の電動鉛筆削り器を示す断面図
【図６】電動鉛筆削り器のスイッチボックスを示す構造図
【図７】電動鉛筆削り器のスイッチボックスのスイッチレバーテーパを示す側面図
【図８ａ】電動鉛筆削り器の鉛筆径調整機構を示す構造図
【図８ｂ】鉛筆径調整機構を示す分解図
【符号の説明】
【００３７】
１０    電動鉛筆削り器
１２    鉛筆
２０    本体カバー
３０    駆動機構
３２    駆動部
３４    電力供給源
４０    伝達機構
５０    切削機構
５１    カッターホルダ
５２    切削刃
５４    カッターシャフト
６０    芯先調節機構
６１    芯先調節ダイヤル
６２    芯先調節ネジ
６３    ギアーシャフト
６４    連結杆
６５    プレート
６６    ストッパ
６７    当接片
７０    無駄削り防止機構
８０    折れ芯除去機構
８１    ボタン
９０    芯先調節つまみ
９２    先端
９４    螺合部材
９６    弾性体
１００  係合部材
１１０  シャフト
１２０  プレート
１３０  ストッパ
１５０  スイッチボックス
１６０  鉛筆挿入部スイッチレバー
１６２  挿入部スイッチ
１６４  穿孔部
１６６  スイッチレバー凸部
１７０  スイッチプレート
１７２  スイッチプレート凸部
１８０  スイッチ
１８２  端子
１９０  クズ受け検出部
２００  スイッチレバー
２０２  一端
２０４  他端
２０６  スイッチレバーテーパ
２１０  スイッチシャフト
２２０  鉛筆径調整機構
２３０  スライドプレート
２３２  突起
２４０  調整板
２４２  係合孔
２４４  円弧ギア
２５０  鉛筆径調整ダイヤル
２５２  ギア
【図１】
2007290317.tif 000003
【図２】
2007290317.tif 000004
【図３】
2007290317.tif 000005
【図４ａ】
2007290317.tif 000006
【図４ｂ】
2007290317.tif 000007
【図４ｃ】
2007290317.tif 000008
【図４ｄ】
2007290317.tif 000009
【図４ｅ】
2007290317.tif 000010
【図５】
2007290317.tif 000011
【図６】
2007290317.tif 000012
【図７】
2007290317.tif 000013
【図８ａ】
2007290317.tif 000014
【図８ｂ】
2007290317.tif 000015